(57)【要約】【課題】土の表面と土の中の両方に水を流し、土の中の根に直接水を供給すると共に、土の表面に位置する固形の肥料や薬剤を水に溶かして土に浸透させ根に与えることができる灌水具を提供する。【解決手段】筒状の側面１２を有し植物３０が植えられた土２８に、一方の開口部が所定深さで埋められ、土２８に埋められる開口部は側面１２の中から水３２が流出する流出口１６である。側面１２の反対側の開口部は、土２８から出ており側面１２の中に水３２を入れる流入口１４である。流入口１４と流出口１６の間には、透孔である散水口２４を備える。散水口２４は、側面１２が土２８に所定深さで埋められた状態で、土２８の表面２８ａよりも上方に位置し、側面１２の中から水３２の一部が流出する。側面１２には、植物３０の近傍に設けられ、土２８から所定の高さに位置する他部材に係止される係止部２２を備える。【選択図】図３
2018196330.tif 000002
【特許請求の範囲】
【請求項１】
筒状の側面を有し、植物が植えられた土に一方の開口部が所定深さで埋められ、前記土に埋められる前記開口部は前記側面の中から水が流出する流出口であり、前記側面の反対側の開口部は前記土から出ており前記側面の中に前記水を入れる流入口であり、前記流入口と前記流出口の間には透孔である散水口が設けられ、前記散水口は、前記側面が前記土に所定深さで埋められた状態で前記土の表面よりも上方に位置し、前記側面の中から前記水の一部が流出することを特徴とする灌水器。
【請求項２】
前記側面には、前記植物の近傍に設けられ前記土から所定の高さに位置する他部材に係止される係止部が設けられている請求項１記載の灌水器。
【請求項３】
前記側面は、挿通方向を軸とする逆円錐筒形状のドーム部と、前記円錐筒形状を前記流入口から前記流出口にかけて平面で切除したような平面部とで形成され、前記流出口は、前記流入口より開口面積が小さく、前記係止部は前記平面部に設けられている請求項１又は２記載の灌水器。
【発明の詳細な説明】
【技術分野】
【０００１】
この発明は、植木鉢等に植えた植物の栽培に用いる灌水器に関する。
【背景技術】
【０００２】
従来、植木鉢の土中に差し込んで水や薬液を供給する灌水器は、いろいろなものがある。例えば、特許文献１に開示されている灌水器は、水を貯える貯水容器と、土中に差し込まれるノズルが設けられている。貯水容器は、底部に開口を有している。ノズルは、上端側に貯水容器の開口に着脱可能に取り付けるための取り付け部を備えると共に、下端部ほど細くなる筒状をなし、側面には複数個の注水孔が形成されている。この灌水器の使用方法は、まず貯水容器の開口から水を入れ、ノズルを取り付け、逆さにして土中に差し込む。水はノズルの注水孔から土中に流れ出て、灌水を行うものである。
【０００３】
特許文献２に開示された、作物の根圏に薬剤を施用する施用容器は、パイプ構造の容器本体の内側に、上下部に配設した透水性材料よりなるストッパー部材にて流動が阻止された薬剤が設けられている。この施用容器の使用方法は、容易本体の先端を所要の深さだけ土壌中に差し込む。そして容器本体の上部開口から雨水又は灌水が流入し、水が上方のストッパー部材を通って薬剤に至り、薬剤を溶解し、薬剤が溶けた水は下のストッパー部材を通って下部開口より土壌中に流れ出て、薬剤を施用するものである。
【０００４】
特許文献３に開示された、作物の根圏に薬剤を施用する施用容器は、逆円錐形の挿入誘導部を有する筒状構造の容器本体の内側に、水溶性薬剤を含有する粒核体を収容するとともに、挿入誘導部の外周に粒核体を通過させない施用孔を穿設形成したものである。この施用容器の使用方法は、挿入誘導部を所要の深さだけ土壌中に差し込む。容器本体の上部開口から雨水又は灌水が流入し、水が粒核体に接触しながら流れて薬剤を溶解し、薬剤が溶けた水は施用孔より土壌中に流れ出て、薬剤を施用するものである。
【先行技術文献】
【特許文献】
【０００５】
【特許文献１】実登３０２６８４５号公報
【特許文献２】特開平７−２８９１０２号公報
【特許文献３】特開平８−１３１０４９号公報
【発明の概要】
【発明が解決しようとする課題】
【０００６】
上記背景技術の場合、いずれも水が流れ出る注水孔は土中に位置し、土の表面に水を流すことができず、土の表面に位置する固形の肥料や薬剤を溶かして土に浸透させることは考えられていない。つまり土の表面に位置する固形の肥料や薬剤の成分を、植物の根に与えることができないものである。
【０００７】
この発明は、上記背景技術の問題点に鑑みてなされたものであり、土の表面と土の中の両方に水を流し、土の中の根に直接水を供給すると共に、土の表面に位置する固形の肥料や薬剤を水に溶かして土に浸透させ根に与えることができる灌水具を提供することを目的とする。
【課題を解決するための手段】
【０００８】
本発明は、筒状の側面を有し、植物が植えられた土に一方の開口部が所定深さで埋められ、前記土に埋められる前記開口部は前記側面の中から水が流出する流出口であり、前記側面の反対側の開口部は前記土から出ており前記側面の中に前記水を入れる流入口であり、前記流入口と前記流出口の間には透孔である散水口が設けられ、前記散水口は、前記側面が前記土に所定深さで埋められた状態で前記土の表面よりも上方に位置し、前記側面の中から前記水の一部が流出する灌水器である。
【０００９】
前記側面には、前記植物の近傍に設けられ前記土から所定の高さに位置する他部材に係止される係止部が設けられている。前記他部材は、例えばプランターの開口部の縁である。
【００１０】
前記側面は、挿通方向を軸とする逆円錐筒形状のドーム部と、前記円錐筒形状を前記流入口から前記流出口にかけて平面で切除したような平面部とで形成され、前記流出口は、前記流入口より開口面積が小さく、前記係止部は前記平面部に設けられている。
【発明の効果】
【００１１】
本発明の灌水器は、植物を植えた土の表面と土の中の両方から水を供給し栽培の作業を簡単にすることができる。土の表面に位置する固形の肥料や薬剤に水が接触して溶け、土に肥料成分や薬効成分をしみ込ませて植物に与えることができる。さらに、水やりに際して植物の葉が邪魔にならず、水やり作業が容易になり、特に生長した植物や葉の多い植物において効果的である。
【図面の簡単な説明】
【００１２】
【図１】この発明の一実施形態の灌水器の斜視図である。
【図２】この実施形態の灌水器の正面図である。
【図３】この実施形態の灌水器の使用状態を示す縦断面図である。
【図４】この実施形態の灌水器の変形例を示す斜視図である。
【発明を実施するための形態】
【００１３】
以下、この発明の実施形態について図面に基づいて説明する。図１〜図３はこの発明の一実施形態を示すもので、この実施形態の灌水器１０は、合成樹脂や金属等で形成され、挿通方向に長い筒状の側面１２を有している。側面１２の一方の開口部は、後述する植物３０に供給する水３２を側面１２の中に入れる流入口１４であり、他方の開口部は側面１２の中から水３２が流出する流出口１６である。
【００１４】
側面１２は、挿通方向を軸とし軸方向に長い逆円錐筒形状のドーム部２０と、ドーム部２０を流入口１４から流出口１６にかけて平面で切り欠いたような平面部１８とで形成されている。側面１２は、流出口１６に近づくにつれて径が小さくなり、流出口１６は流入口１４よりも開口面積が小さい。
【００１５】
平面部１８は、ドーム部２０の中心軸を通過する面よりも、直径方向に外側に位置する板目面であり、流入口１４の開口端部に位置する直線の端部１８ａと、流出口１６の開口端部に位置し端部１８ａより短い直線の端部１８ｂと、端部１８ａ，１８ｂ同士を結ぶ一対の直線の側縁部１８ｃで囲まれた台形である。なお、ドーム部２０に位置する流入口１４と流出口１６の開口縁部は、図２に示すように、ドーム部２０の、平面部１８から一番離れている部分である稜線２０ａに対して直角である。そして平面部１８は、流入口１４に接する面に対して鋭角に位置し、流出口１６に接する面に対して鈍角に位置している。
【００１６】
平面部１８には、端部１８ａと端部１８ｂの中間よりも少し端部１８ｂに近いところに、後述するプランター２６の開口部２６ａの縁部に係止する係止部２２が設けられている。係止部２２は、突出方向に長い薄板形状であり、流入口１４と流出口１６の開口縁部に対して平行に突出し、薄板形状の面も流入口１４と流出口１６の開口縁部に対して平行に位置している。平面部１８は、端部１８ａから端部１８ｂに近づくにつれて稜線２０ａより離れるように傾斜しているため、係止部２２の平面部１８からの突出角度は、端部１８ａ側が鋭角となる所定角度である。係止部２２の、突出方向の長さの中心付近には、突出方向に対して略直角な幅方向に沿う折罫線２２ａが設けられ、係止部２２は折罫線２２ａにより略９０°に、流出口１６に近づく方向に折り曲げられている。
【００１７】
ドーム部２０の、稜線２０ａ上には、係止部２２の位置より流出口１６に少し近い位置に、円形の透孔である散水口２４が設けられている。
【００１８】
次に、灌水器１０の使用方法について説明する。灌水器１０は、植物３０に水３２を供給するものであり、例えば図３に示すように、上方に開口部２６ａを有するプランター２６に土２８を入れて植えられた植物３０に使用する。灌水器１０は、プランター２６の開口部２６ａの縁に係止部２２をかけ、流出口１６側を土２８の表面２８ａに差し込む。差し込む深さは、散水口２４が表面２８ａよりも上に位置する深さである。この時、側面１２のドーム部２０の稜線２０ａを垂直にすると、流入口１４の縁部が水平となり、流入口１４に水３２を入れやすくなる。そして、流入口１４に水３２を入れ、水３２は側面１２の内側を流れ、水３２の一部は散水口２４から流れ出て、土２８の表面２８ａに広がる。
【００１９】
表面２８ａに肥料３４が置かれている場合、肥料３４に水３２が接触して肥料成分が溶解し、土２８に肥料成分をしみ込ませて植物３０に与える。その他の水３２は、流出口１６から流れ出て土２８に浸透し、根に直接供給する。流入口１４に、水３２のかわりに薬液を入れて植物３０に与えてもよい。灌水器１０は土２８に差し込んだままにしておき、必要に応じて適宜水３２を流入口１４に入れて繰り返し使用してもよい。
【００２０】
この実施形態の灌水器１０によれば、流入口１４に水３２を入れるだけで土２８の表面２８ａと、土２８の中の両方から水３２を植物３０に供給し、栽培の作業を簡単にすることができる。散水口２４から土２８の表面２８ａに流れ出て広がった水３２は、表面２８ａに置かれた肥料３４に接触して肥料成分を溶解し、土２８に肥料成分をしみ込ませて植物３０の根に与えることができる。側面１２は挿通方向に長く形成され、土２８から高く突出して設置することができ、植物３０が大きくなって葉が増えて土２８の表面２８ａを覆っても、葉の間に流入口１４が開口されるため、水やりのために葉を押して土を露出させる必要がなく、簡単で、また葉を傷めることがない。このことは特に、観葉植物等の生産において、作業性や品質管理上有効である。流入口１４はほぼ水平に開口するため、水３２を入れやすく、こぼれにくい。
【００２１】
さらに、係止部２２がプランター２６の開口部２６ａに係止されているため、灌水器１０を埋める深さが決まり、散水口２４が土２８の表面２８ａから出るように簡単に位置決めすることができる。また倒れることがなく、安定する。係止部２２をプランター２６の開口部２６ａのふちにかけた時、傾斜した平面である平面部１８が開口部２６ａの縁に沿うため、安定し、また流入口１４を開口部２６ａの上方付近に開口させることができ水３２を入れやすい。流出口１６と散水口２４を小さくすると、側面１２の中の水３２がゆっくりと流れ、逆に大きくすると早く流れ、スピードを調整することができる。散水口２４を流出口１６よりも大きくすると、土２８の表面２８ａに流れる水３２の量を多くすることができる。
【００２２】
なお、この実施形態の灌水器１０の側面１２の形状は上記に限定されるものではなく、適宜変更可能である。例えば図４に示すように、側面１２の挿通方向長さ方向の途中で、散水口２４の少し上の位置に、流出口１６側が細くなる段部３６が一周して形成されてもよい。そして、灌水器１０を使用する時は段部３６をプランター２６の開口部２６ａの縁に掛けてもよい。なお、この場合は係止部２２が無くてもよい。また、散水口２４は、上下の長手方向に長い長円に形成され、一部が土中にあるように挿しても良く、散水口２４から土２８の表面２８ａと土中の両方に水が行き渡る。
【００２３】
なお、この発明の灌水器は上記実施形態に限定されず、側面の形状や大きさ、散水口の位置や数等は変更可能であり、散水口が確実に土の上方に位置し土の表面に水を流すものであれば良い。係止部の数や形状も適宜変更可能であり、確実に他部材に係止されるものであれば良い。使用方法は、上記実施の形態に限定されず、プランター以外に花壇や畑に植えられている植物に使用してもよく、また１個のプランターに複数個の植物が植えられている場合でもよく、複数個の灌水器を使用してもよい。
【符号の説明】
【００２４】
１０  灌水器
１２  側面
１４  流入口
１６  流出口
１８  平面部
２０  ドーム部
２２  係止部
２４  散水口
２８  土
２８ａ  表面
３０  植物
３２  水
３４  肥料
【図１】
2018196330.tif 000003
【図２】
2018196330.tif 000004
【図３】
2018196330.tif 000005
【図４】
2018196330.tif 000006